(57)【要約】【課題】コードリールの電源コード引出し口部における電源コードの損傷を防止する。【解決手段】電源コードと、該電源コードを巻取るコード巻取りドラムと、該コード巻取りドラムをコード巻取り方向に回転付勢するコード巻取りドラム回転付勢手段と、これらコード巻取りドラムおよびコード巻取りドラム回転付勢手段を収納した合成樹脂ケースと、該合成樹脂ケースの一端側開口部に係合一体化された金属カバーと、上記合成樹脂ケースおよび金属カバーよりなる本体ケーシングの接線方向に延設開口された筒状の電源コード引出し口部とを備えてなるコードリールであって、上記筒状の電源コード引出し口部は、その開口部全周が合成樹脂材により形成されるように構成した。【選択図】        図４
2004284688.tif 000002
【特許請求の範囲】
【請求項１】
電源コードと、該電源コードを巻取るコード巻取りドラムと、該コード巻取りドラムをコード巻取り方向に回転付勢するコード巻取りドラム回転付勢手段と、これらコード巻取りドラムおよびコード巻取りドラム回転付勢手段を収納した合成樹脂ケースと、該合成樹脂ケースの一端側開口部に係合一体化された金属カバーと、上記合成樹脂ケースおよび金属カバーよりなる本体ケーシングの接線方向に延設開口された筒状の電源コード引出し口部とを備えてなるコードリールであって、上記筒状の電源コード引出し口部は、その開口部全周が合成樹脂材により形成されていることを特徴とするコードリール。
【請求項２】
筒状の電源コード引出し口部は、同電源コード引出し口部を形成する金属カバー側の該当部分を切り欠き、同切り欠き部に対して対応する合成樹脂部材を固定することにより、その開口部全周が合成樹脂材により形成されていることを特徴とする請求項１記載のコードリール。
【請求項３】
切り欠き部に対応する合成樹脂部材は、金属カバーを合成樹脂ケースに固定する固定ネジを利用して金属カバー側および合成樹脂ケース側に固定されていることを特徴とする請求項２記載のコードリール。
【請求項４】
金属カバーは、合成樹脂ケースの外周部よりも半径方向外方に突出した複数のフランジ状の取付片を有し、これら取付片の何れかにはアースターミナルが設けられていることを特徴とする請求項１，２又は３記載のコードリール。
【請求項５】
アースターミナルは、当該取付片に重合一体化されたアースブラケットに形成されていることを特徴とする請求項４記載のコードリール。
【発明の詳細な説明】
【０００１】
【発明の属する技術分野】
本願発明は、各種電気機器において、給電用の電源コードを巻取り収納する電源用コードリールの構造に関するものである。
【０００２】
【従来の技術】
この種のコードリールは、機器不使用時に、長い電源コードを引出し自由にコンパクトに収納できる点で非常に便利であり、例えば電気炊飯器等の電気機器において多く採用されている（例えば特許文献１参照）。
【０００３】
そして、同コードリールは、一般に電源コードと、該電源コードを巻取るコード巻取りドラムと、該コード巻取りドラムをコード巻取り方向に回転付勢するゼンマイ等コード巻取りドラム回転付勢手段と、これらコード巻取りドラムおよびコード巻取りドラム回転付勢手段を収納した合成樹脂ケースと、該合成樹脂ケースの一端側開口部に係合一体化された金属カバーと、上記合成樹脂ケースおよび金属カバーよりなる本体ケーシングの接線方向に延設開口された筒状の電源コード引出し口部とを備えて構成されている。
【０００４】
【特許文献１】
特開平７−２６５２００号公報（第１−４頁、図１−７）
【０００５】
【発明が解決しようとする課題】
ところが、以上のような構成の場合、必然的に上記筒状の電源コード引出し口部も、上記合成樹脂ケースの延設部と金属カバーの延設部との相互に対向する２種の部材により筒状に形成されることになる。
【０００６】
そのため、任意に引き出され、また巻き取られる電源コードが、同開口部の金属カバー側金属製の延設部と頻繁に接触、衝合して、被覆部が損傷する問題があった。
【０００７】
本願発明は、該問題を解決するためになされたもので、上記電源コード引出し口部の少なくとも開口部全周を合成樹脂材により形成することにより、上述のような電源コードの損傷を防止したコードリールを提供することを目的とするものである。
【０００８】
【課題を解決するための手段】
本願発明は、同目的を達成するために、次のような課題解決手段を備えて構成されている。
【０００９】
（１）  第１の課題解決手段
この発明の第１の課題解決手段は、電源コードと、該電源コードを巻取るコード巻取りドラムと、該コード巻取りドラムをコード巻取り方向に回転付勢するコード巻取りドラム回転付勢手段と、これらコード巻取りドラムおよびコード巻取りドラム回転付勢手段を収納した合成樹脂ケースと、該合成樹脂ケースの一端側開口部に係合一体化された金属カバーと、上記合成樹脂ケースおよび金属カバーよりなる本体ケーシングの接線方向に延設開口された筒状のコード引出し口部とを備えてなるコードリールであって、上記筒状の電源コード引出し口部は、その開口部全周が合成樹脂材により形成されていることを特徴としている。
【００１０】
上記のようにして筒状の電源コード引出し口部の開口部の全周が合成樹脂材により形成されていると、電源コードの引出し又は巻取り時の頻繁な接触、勢い良く引き込まれた時の電源差込みプラグ本体部の衝撃等によっても、電源コードの被覆部が損傷されるようなことがなくなる。
【００１１】
（２）  第２の課題解決手段
この発明の第２の課題解決手段は、上記第１の課題解決手段において、筒状の電源コード引出し口部は、同電源コード引出し口部を形成する金属カバー側の該当部分を切り欠き、同切り欠き部に対応する合成樹脂部材を固定することにより、その開口部全周が合成樹脂材により形成されていることを特徴としている。
【００１２】
このような構成によれば、例えば従来のコードリールの構造を前提として、その電源コード引出し口部を形成している金属カバー側の該当部分を切り欠き、、別の合成樹脂部材を用意して固定一体化するだけで、きわめて容易に電源コード引出し口部の開口部全周を合成樹脂材とすることができ、新たな製品への改善対応が容易で、低コストなものとなる。
【００１３】
（３）  第３の課題解決手段
この発明の第３の課題解決手段は、上記第２の課題解決手段において、切り欠き部に対応する合成樹脂部材は、金属カバーを合成樹脂ケースに固定する固定ネジを利用して金属カバー側および合成樹脂ケース側に固定されていることを特徴としている。
【００１４】
このような構成によれば、本来金属カバーを合成樹脂ケースに対して固定一体化するための固定ネジを共用して、上記切り欠き部に対応する合成樹脂部材を上記本体側金属カバーおよび合成樹脂ケースに固定することができるので、新たな製品への改善対応が一層容易で、より低コストなものとなる。
【００１５】
（４）  第４の課題解決手段
この発明の第４の課題解決手段は、上記第１，第２又は第３の課題解決手段において、金属カバーは、合成樹脂ケースの外周部よりも半径方向外方に突出した複数のフランジ状の取付片を有し、これら取付片の何れかにはアースターミナルが設けられていることを特徴としている。
【００１６】
このように金属カバーが、対応する合成樹脂ケースの外周部よりも半径方向外方に突出した複数のフランジ状の取付片を有していて、それら取付片の内の何れかにアースターミナルが設けられるようになっていると、アースターミナルの設置が容易となる。
【００１７】
（５）  第５の課題解決手段
この発明の第５の課題解決手段は、上記第４の課題解決手段において、アースターミナルは、当該取付片に重合一体化されたアースブラケットに形成されていることを特徴としている。
【００１８】
このようにアースターミナルが、当該取付片に重合一体化されたアースブラケットに形成されるようなっていると、当該取付片の取付け孔部の自由度を制約することなく、アースターミナルを設けることができ、またアース線の接続も容易となる。
【００１９】
【発明の効果】
以上の結果、本願発明のコードリールによると、より電源コードの耐久性、信頼性が向上し、製品の改良コストも安価になる。
【００２０】
【発明の実施の形態】
図１〜図９は、本願発明の実施の形態に係るコードリールの構造を示している。
【００２１】
（１）  コードリール全体の構造
先ず図１〜図３は、同コードリール全体の構造を示している。
【００２２】
これらの図中、符号１はリール３およびコード巻き込み用のゼンマイ（コード巻取りドラム回転付勢手段）４が収納された所定の深さの有底筒状の合成樹脂ケース、２は同合成樹脂ケース１の一端側開口面部にヘリコイド係合され、上記収納されたリール３およびゼンマイ４を軸方向に固定するとともに上記合成樹脂ケース１とともにコードリールの本体ケーシングＡを形成する皿状の金属カバーである。
【００２３】
合成樹脂ケース１の周壁部１ｃの外周には、ヘリコイド係合用のスリットを備え、上記金属カバー外周の第１，第２の２組の係合リブ２ａ，２ｂをヘリコイド係合する第１，第２の２組のヘリコイド係合部１ａ，１ｂが設けられ、上記金属カバー２側の第１，第２の２組の係合リブ２ａ，２ｂを上記合成樹脂ケース１側の第１，第２の２組のヘリコイド係合部１ａ，１ｂのスリット部分にヘリコイド係合することによって、先ず金属カバー２を合成樹脂ケース１に対して図１のような状態に係合一体化するようになっている。
【００２４】
合成樹脂ケース１の円形の平板壁１ｄの中心軸部分内方には、スリ割部を有する所定の長さの支軸５が同方向に一体成形されており、該支軸５を利用して順次ゼンマイ４、リール３が嵌合支持されている。ゼンマイ４は、同支軸５に対して巻成部始端が固定されている一方、巻成部終端が上記リール３の円形の側壁３ａに係止されていて、後述する電源コードの引き出しに応じたリール３の回転に応じて巻き込まれ、その拡大方向への復元付勢力により上記リール３を逆方向に回転させて当該引出された電源コード８を巻き込むようになっている。
【００２５】
リール３は、上記支軸５に嵌合固定された円形の側壁３ａの中心軸側に所定の直径のコード巻取ドラム３ｂを一体成形するとともに、その側壁３ａと反対側端部には例えば周方向に１２０度の間隔で、上記側壁３ａと平行な板状のコード係止部材３ｃ，３ｃ，３ｃが一体成形されている。
【００２６】
コード巻取ドラム３ｂは、Ｃ字状の端部の一端を他端部の内側に入り込ませた若干渦巻き構造をなし、その内側の側壁３ａ面に給電用の正負接点ブラシ７ａ，７ｂが立設されており、該正負接点ブラシ７ａ，７ｂに対して電源コード８の反差し込みプラグ側側端部８ａが接続固定されている。そして、上記ゼンマイ４の復元付勢力により、上記コード巻取ドラム３ｂが電源コード８を巻取る方向に回転することにより、非使用状態では電源コード８を図示のような５層状態に巻き取る。
【００２７】
一方、上記金属カバー２の中心軸部分には、その内側面に位置して上記給電用の接点ブラシ７ａ，７ｂに相対回転可能に接触して給電される内外２重構造のリングプレート状の正負給電端子９ａ，９ｂを設けたディスク状の絶縁部材１０が表裏面に嵌合されている。そして、該絶縁部材１０の外面部には、上記給電端子９ａ，９ｂからのリード端子１１ａ，１１ｂが所定の高さ突設されており、同リード端子１１ａ，１１ｂを介して例えば電気炊飯器等所望の電気機器の電源回路に接続される。また、上記絶縁部材１０外周の金属カバー２面には、必要に応じ、所定の高さのシャーシアース端子１１ｃが併せて設けられている。
【００２８】
さらに上記金属カバー２は、上記合成樹脂ケース１の外周部よりも半径方向外方に所定寸法突出した第１〜第３の複数のフランジ状の取付片１４ａ〜１４ｃを有し、これら第１〜第３の取付片１４ａ〜１４ｃの内の何れか、例えば差し込みリブではない略三角形状をなす第３の取付片１４ｃの裏面にはアースターミナル１６ａを有するアースブラケット１６がリベット２３により重合一体化されている。このアースブラケット１６は、その同一形状の重合部側に上記第３の取付片１４ｃの取付穴１７および位置決め穴１９に対応する第１，第２の穴２１，２２を有し、それらを位置決めに利用して図２又は図３のようにリベット締めされている（リベット２３）。
【００２９】
上記のように金属カバー２が、それに対応する合成樹脂ケース１の外周部よりも半径方向外方に突出した第１〜第３の複数のフランジ状の取付片１４ａ，１４ｂ，１４ｃを有していて、それら第１〜第３の取付片１４ａ，１４ｂ，１４ｃ内の例えば差し込みリブ機能を有しない電気機器側取付部へのネジ止め用第３の取付片１４ｃにアースターミナル１６ａを有するアースブラケット１６が設けられていると、アースターミナル１６ａを当該第３の取付片１４ｃの側方に突出させて設けることができる。その結果、当該第３の取付片１４ｃの電気機器への取付穴１７を有する取付け部の自由度を制約することなく、アースターミナル１６ａを設けることができ、またアース線との接続も容易となる。
【００３０】
なお、この実施の形態の場合、上記第１，第２の取付片１４ａ，１４ｂは差し込みリブとなっていて、電気機器への取付け時には、上記第１，第２の取付片１４ａ，１４ｂの方を電気機器側差し込みスリットに差し込み、他端側第３の取付片１４ｃを電気機器側所定の固定部にネジ止めして固定する。
【００３１】
（２）  電源コード引出し口部の構造
ところで、上記のようなコードリール構造を採用した場合、その電源コード８の引出し口部１２は、上記合成樹脂ケース１と金属カバー２を合わせた２部材構造よりなる図２および図３のような本体ケーシングＡの接線方向にストレートに伸びた筒状のものとなる。
【００３２】
そして、例えば上記合成樹脂ケース１の第１，第２のヘリコイド係合部１ａ，１ｂが、例えば図２に示すように相互に略１２０°前後離れた位置関係にあり、それに対応した金属カバー２の第１，第２の係合リブ２ａ，２ｂが、図５に示すように同様の関係にあり、さらに同金属カバー２側差し込みリブとして機能する第１，第２の取付片１４ａ，１４ｂが相互に周方向に９０°位置を異にする位置関係にあるとすると、上記電源コード引出し口部１２の延設方向接線Ｌの本体ケーシングＡ内電源コード巻取り空間の円周との接点を図示の位置に取り、それにより形成される電源コード引出し口部１２の本体ケーシングＡの外周部側金属カバー２の合成樹脂ケース１との締結部（締結孔部）をそれぞれ上記第１，第２のヘリコイド係合部１ａ，１ｂ、第１，第２の係合リブ２ａ，２ｂと各々略１２０°前後離れた周方向位置に設け、該位置に各々同軸にビスネジ１３の挿通孔１３ａ，１３ｂを設け、該位置で上記合成樹脂ケース１と金属カバー２とを締結固定する。
【００３３】
このようにすると、それら両者は、上記第１，第２のヘリコイド係合部１ａ，１ｂ部を含めて、周方向に相互に略１２０°の間隔を保った３点位置で、確実に、かつ安定した状態で結合一体化されることになる。
【００３４】
しかし、一方そのままの状態では、以上の構造から上記電源コード引出し口部１２の断面方形の筒状部は、上記本体ケーシングＡ部分と同様に金属カバー２の延設部と合成樹脂ケース１の延設部とを併せた構造となり、電源コード８が引出し又は巻取り時において、金属部材側延設部と頻繁に接触、衝合して損傷されやすい欠点を生じる。
【００３５】
そこで、この実施の形態の場合には、例えば図５および図６中の仮想線に示すように、上記筒状の電源コード引出し口部１２の一側部（上面部）を形成する金属カバー２側の延設部（仮想線部分）２ｂ部分を切り欠き、該切欠部２ｃに対して、例えば図７〜図９に示すような略切り欠いた延設部２ｂと同形状の断面鉤状の合成樹脂製の開口形成部材（合成樹脂部材）１５を、上記金属カバー２および合成樹脂ケース１固定用のビスネジ挿通孔１３ａ，１３ｂを利用してビスネジ１３により重合締結することにより、図１〜図４のように固定一体化している。
【００３６】
そして、それによって上記電源コード引出し口部１２の開口部１２ａの全体（全周）が合成樹脂部材で形成されるように構成している。
【００３７】
すなわち、上記合成樹脂製の開口形成部材１５は、図７〜図９に詳細に示すように、上記切欠部２ｃの形状と大きさに対応し、断面鉤状の開口形成部材本体１５ａと、該開口形成部材本体１５ａの外周面側に設けられた側壁部（縦壁部）１５ｈと、基端側で該側壁部１５ｈと平行に設けられ、上記側壁部１５ｈとの間に合成樹脂ケース１側断面コの字状の開口形成部材２０の外周面側側壁部２０ａを挟み込む嵌合部（隙間）を形成している挟着片１５ｂと、上記金属カバー２側切欠部２ｃの円弧辺の内側（下側）に所定幅嵌り込む係合縁部１５ｃを有して同切欠部２ｃの円弧辺部分に沿って安定して係合される係合辺部１５ｄと、電源コード引出し用開口部１２ａ側内周寄りに設けられたビスネジ挿通孔１５ｆを有する取付部１５ｅと、電源コード引出し用開口部１２ａの一側を形成する部分的に肉厚で両辺の短かい断面コ字状をなす開口縁部１５ｇとを備えて構成されている。
【００３８】
一方、これに対応する合成樹脂ケース１側の開口形成部材２０は、全体として断面コ字状をなし、内外両方に略同じ高さの側壁２０ａ，２０ｂを備えるとともに、その開口縁部２０ｃは、上記開口形成部材１５側開口縁部１５ｇと同様に部分的に肉厚に形成されている。
【００３９】
したがって、以上のような構成によると、例えば図５、図６に示すような上記延設部２ｂを切り欠いた金属カバー２を同切欠状態のまま上述の合成樹脂ケース１に対してヘリコイド係合し、その後、該状態において、上記図７〜図９に示す開口形成部材１５の先端側挟着片１５ｂと側壁１５ｈを上記合成樹脂ケース１側延設部の開口形成部材２０の外周面側の側壁２０ａに対して上方から挿入嵌合するとともに、内周側の係合縁部１５ｃを上記金属カバー２の延設部２ｂの内側（下側）に挿入重合した状態で係合辺部１５ｄを同延設部２ｂに正確に係合させる。
【００４０】
その後、さらに断面コ字状の開口縁部１５ｇを相手側断面コ字状の開口形成部材２０の開口縁部２０ｃと図４のごとく方形に連続して開口縁部を形成するように対向状態で突き合わせ、上記取付部１５ｅのビスネジ挿通孔１５ｆを金属カバー２外周部のビスネジ挿通孔１３ａ、合成樹脂ケース１外周部のビスネジ挿通孔１３ｂの各々と同軸に位置合せをして、ビスネジ１３で一緒に締結固定することによって、図１〜図３のように取り付ける。
【００４１】
これらの結果、上記のようにして形成される電源コード引出し口部１２では、その筒状の開口部１２ａの全周が合成樹脂材となり、電源コード８の引出し又は巻取り時の接触、あるいは勢い良く引き込まれた時の電源コード８先端の差込みプラグ本体部８ｂ側ストッパ部８ｃの衝撃等によっても、同部分および電源コード８が損傷されるようなことがなくなる。
【００４２】
また、以上の場合、上記最終的に１本のビスネジ１３でネジ止めされた開口形成部材１５と相手側合成樹脂ケース１の延設部の開口形成部材２０との間には、例えば図４のように適度な隙間Ｓが形成されることになり、この隙間Ｓが、また電源コード８の差し込みプラグ本体８ｂ側ストッパ部８ｃが勢い良く引き込まれた時の、より適切な衝撃緩衝作用を発揮する。
【００４３】
以上のように、この実施の形態の構成では、電源コードと、該電源コードを巻取るコード巻取りドラムと、該コード巻取りドラムをコード巻取り方向に回転付勢するコード巻取りドラム回転付勢手段と、これらコード巻取りドラムおよびコード巻取りドラム回転付勢手段を収納した合成樹脂ケースと、該合成樹脂ケースの一端側開口部に係合一体化された金属カバーと、上記合成樹脂ケースおよび金属カバーよりなる本体ケーシングの接線方向に延設開口された筒状のコード引出し口部とを備えてなるコードリールであって、上記筒状の電源コード引出し口部は、その開口部全周が合成樹脂材により形成されていることを特徴としている。
【００４４】
上記のように筒状の電源コード引出し口部の開口部の全周が合成樹脂材により形成されていると、電源コードの引出し又は巻取り時の頻繁な接触、勢い良く引き込まれた時の電源差込みプラグ本体部の衝撃等によっても、電源コードの被覆部が損傷されるようなことがなくなる。
【００４５】
また、以上の構成では、その場合において、上記筒状の電源コード引出し口部は、同電源コード引出し口部を形成する金属カバー側の該当部分を切り欠き、同切り欠き部に対応する合成樹脂部材を固定することにより、その開口部全周が合成樹脂材により形成されていることを特徴としている。
【００４６】
このような構成によれば、例えば従来のコードリールの構造を前提として、その電源コード引出し口部を形成している金属カバー側の該当部分を切り欠き、、別の合成樹脂部材を用意して固定一体化するだけで、きわめて容易に電源コード引出し口部の開口部全周を合成樹脂材とすることができ、新たな製品への改善対応が容易で、低コストなものとなる。
【００４７】
また以上の構成では、上記の構成において、上記切り欠き部に対応する合成樹脂部材は、金属カバーを合成樹脂ケースに固定する固定ネジを利用して金属カバー側および合成樹脂ケース側に固定されていることを特徴としている。
【００４８】
このような構成によれば、本来金属カバーを合成樹脂ケースに対して固定一体化するための固定ネジを共用して、上記切り欠き部に対応する合成樹脂部材を上記本体側金属カバーおよび合成樹脂ケースに固定することができるので、新たな製品への改善対応が一層容易で、より低コストなものとなる。
【００４９】
また以上の構成では、上構成において、金属カバーは、合成樹脂ケースの外周部よりも半径方向外方に突出した複数のフランジ状の取付片を有し、これら取付片の何れかにはアースターミナルが設けられていることを特徴としている。
【００５０】
金属カバーが、対応する合成樹脂ケースの外周部よりも半径方向外方に突出した複数のフランジ状の取付片を有していて、それら取付片の何れかにアースターミナルが設けられているようになっていると、アースターミナルの設置が容易となる。
【００５１】
そして、同構成では、その場合において、上記アースターミナルは、当該取付片に重合一体化されたアースブラケットにより形成されていることを特徴としている。
【００５２】
このようにアースターミナルが、当該取付片に重合一体化されたアースブラケットにより形成されるようなっていると、取付片の取付け部の自由度を制約することなく、アースターミナルを設けることができ、またアース線との接続も容易となる。
【００５３】
それらの結果、同コードリールによると、より電源コードの耐久性、信頼性が向上し、製品の改良コストも安価になる。
【図面の簡単な説明】
【図１】本願発明の実施の形態１に係るコードリールの構造を示す一部切欠側面図である。
【図２】同コードリールの平面図である。
【図３】同コードリールの底面図である。
【図４】同コードリールの要部の斜視図である。
【図５】同コードリールの金属カバー側の構成を示す平面図である。
【図６】同コードリールの金属カバー側の構成を示す断面図である。
【図７】同コードリールの要部を形成する合成樹脂部材の平面図である。
【図８】同コードリールの要部を形成する合成樹脂部材の底面図である。
【図９】同コードリールの要部を形成する合成樹脂部材の側面図である。
【符号の説明】
１は合成樹脂ケース、１ａ，１ｂはヘリコイド係合部、１ｃは周壁、２は金属カバー、２ａ，２ｂは差し込みリブ、３はリール、３ａは平面壁、３ｂは巻取ドラム、５は支軸、８は電源コード、１２は電源コード引出し口部、１２ａは開口部、１４ａ〜１４ｃは第１〜第３の取付片、１６はアースブラケット、１６ａはアースターミナルである。
【図１】
2004284688.tif 000003
【図２】
2004284688.tif 000004
【図３】
2004284688.tif 000005
【図４】
2004284688.tif 000006
【図５】
2004284688.tif 000007
【図６】
2004284688.tif 000008
【図７】
2004284688.tif 000009
【図８】
2004284688.tif 000010
【図９】
2004284688.tif 000011